(57)【特許請求の範囲】
【請求項１】
複数のトラストポイントシステムと通信するよう動作する１つ以上のインタフェースと、
１つ以上のプロセッサであり、
前記複数のトラストポイントシステムのうちの第２のトラストポイントシステムから受信した第２のトラストポイント情報を用いて、該第２のトラストポイントシステムを検証する処理と、
自装置についての情報を含むトラストポイント情報を生成して、該第２のトラストポイントシステムに送信する処理と、
前記複数のトラストポイントシステムのうちの第１のトラストポイントシステムから受信した第１のトラストポイント情報を用いて、該第１のトラストポイントシステムを検証する処理と、
自装置についての情報を含むトラストポイント情報を生成して、該第１のトラストポイントシステムに送信する処理と、
該第２のトラストポイントシステムを検証した結果と、該第２のトラストポイントシステムから受信する検証に関する応答と、該第１のトラストポイントシステムを検証した結果と、該第１のトラストポイントシステムから受信する検証に関する応答との全てが検証の成功を示す内容である場合に、該第１のトラストポイントシステムから受信した第１のデータを該第２のトラストポイントシステムへ送信する処理と、該第２のトラストポイントシステムから受信した第２のデータを該第１のトラストポイントシステムへ送信する処理と
を実行する１つ以上のプロセッサと
を有するシステム。
【請求項２】
前記第２のトラストポイントシステムは充電トラストポイントシステムであり、
前記プロセッサは更に、車両の電池の電池情報を前記充電トラストポイントシステムに送信し、該車両に対応する決済情報を前記充電トラストポイントシステムに送信して、前記充電トラストポイントシステムが該電池を充電することを可能にする処理を実行するよう動作する、
請求項１に記載のシステム。
【請求項３】
前記プロセッサは更に、車両に関する警備上のトリガー事象を前記第２のトラストポイントシステムへ送信し、該車両の車両環境を記録し、該記録を該第２のトラストポイントシステムに送信する処理を実行するよう動作する、請求項１に記載のシステム。
【請求項４】
前記プロセッサは更に、車両の運転データを収集し、該運転データを前記第２のトラストポイントシステムにおける該車両の１つ以上の排出物を計算することに用いられるデータとして送信する処理を実行するよう動作する、請求項１に記載のシステム。
【請求項５】
複数のトラストポイントシステムと通信するよう動作する装置のプロセッサによって実行される方法であって、
前記複数のトラストポイントシステムのうちの第２のトラストポイントシステムから受信した第２のトラストポイント情報を用いて、該第２のトラストポイントシステムを検証するステップと、
自装置についての情報を含むトラストポイント情報を生成して、該第２のトラストポイントシステムに送信するステップと、
前記複数のトラストポイントシステムのうちの第１のトラストポイントシステムから受信した第１のトラストポイント情報を用いて、該第１のトラストポイントシステムを検証するステップと、
自装置についての情報を含むトラストポイント情報を生成して、該第１のトラストポイントシステムに送信するステップと、
該第２のトラストポイントシステムを検証した結果と、該第２のトラストポイントシステムから受信する検証に関する応答と、該第１のトラストポイントシステムを検証した結果と、該第１のトラストポイントシステムから受信する検証に関する応答との全てが検証の成功を示す内容である場合に、該第１のトラストポイントシステムから受信した第１のデータを該第２のトラストポイントシステムへ送信し、該第２のトラストポイントシステムから受信した第２のデータを該第１のトラストポイントシステムへ送信するステップと
を有する方法。
【請求項６】
前記第２のトラストポイントシステムは充電トラストポイントシステムであり、
当該方法は更に、車両の電池の電池情報を前記充電トラストポイントシステムに送信し、該車両に対応する決済情報を前記充電トラストポイントシステムに送信して、前記充電トラストポイントシステムが該電池を充電することを可能にするステップを有する、
請求項５に記載の方法。
【請求項７】
車両に関する警備上のトリガー事象を前記第２のトラストポイントシステムへ送信し、該車両の車両環境を記録し、該記録を該第２のトラストポイントシステムに送信するステップ、を更に有する請求項５に記載の方法。
【請求項８】
車両の運転データを収集し、該運転データを前記第２のトラストポイントシステムにおける該車両の１つ以上の排出物を計算することに用いられるデータとして送信するステップ、を更に有する請求項５に記載の方法。
【発明の詳細な説明】
【技術分野】
【０００１】
本発明は、概して情報交換に関し、より具体的にはトラストポイント（信頼点）を用いてサービスを提供することに関する。
【背景技術】
【０００２】
クライアントに提供されるサービスは、通信ネットワークを介して秘密情報を送信することを必要とし得る。例えば、クライアントがサービスプロバイダにサービス要求を送信すると、サービスプロバイダはクライアントからの決済情報を要求することがある。秘密情報の送信者は、情報を送信するのに先立って、受信者の認証を行うことを望む場合がある。
【発明の概要】
【発明が解決しようとする課題】
【０００３】
本発明によれば、従来のサービス提供技術に伴う欠点及び問題点が軽減あるいは排除され得る。
【課題を解決するための手段】
【０００４】
特定の実施形態において、プロセッサは、ユーザ認証、プラットフォーム認証及び環境認証を実行することによって、トラストポイントシステムと信頼を確立するよう動作し得る。プロセッサは、信頼を確立したことに応答してトラストポイントシステムと情報を通信し得る。特定の実施形態において、複数のトラストポイントシステムが協働して、例えばエスコートサービス、電池充電サービス、車両警備サービス及び／又は排出物報告サービスなどの、多様なサービスを提供する。
【発明の効果】
【０００５】
本発明の特定の実施形態は１つ以上の技術的利点を提供し得る。一実施形態の技術的利点は、移動式（モバイル）装置が、当該モバイル装置がより効率的にサービスを受けることを可能にし得るトラストポイントシステムを含み得ることである。一実施形態の別の技術的利点は、複数のトラストポイントシステムが協働して、例えばエスコートサービス、電池充電サービス、車両警備サービス及び／又は排出物報告サービスなどの、多様なサービスを提供し得ることである。
【０００６】
本発明の特定の実施形態は、上述の技術的利点の一部又は全てを含むこともあるし、上述の技術的利点を含まないこともある。１つ以上のその他の技術的利点が、本願に含まれる図面、説明及び特許請求の範囲から当業者に明らかになるであろう。
【図面の簡単な説明】
【０００７】
本発明並びにその特徴及び利点の一層完全なる理解のため、以下の詳細な説明を、以下の図を含む図面とともに参照する。
【図１】１つ以上のサービスシステムが１つ以上のクライアントシステムにサービスを提供するネットワークの一例を示す図である。
【図２】クライアントシステムの一例を示す図である。
【図３Ａ】エスコートサービスを提供する方法の一例を示す図である。
【図３Ｂ】エスコートサービスを提供する方法の一例を示す図である。
【図３Ｃ】エスコートサービスを提供する方法の一例を示す図である。
【図４】電池充電サービスを提供する方法の例を示す図である。
【図５】電池充電サービスを提供する方法の例を示す図である。
【図６】電池充電サービスを提供する方法の例を示す図である。
【図７Ａ】電池充電サービスを提供する方法の例を示す図である。
【図７Ｂ】電池充電サービスを提供する方法の例を示す図である。
【図７Ｃ】電池充電サービスを提供する方法の例を示す図である。
【図８Ａ】電池充電サービスを提供する方法の例を示す図である。
【図８Ｂ】電池充電サービスを提供する方法の例を示す図である。
【図９】車両警備サービスを提供する方法の一例を示す図である。
【図１０】排出物報告サービスを提供する方法の一例を示す図である。
【発明を実施するための形態】
【０００８】
本発明の実施形態及びその利点は、図１乃至１０を参照することによって最もよく理解される。様々な図における同様の部分及び対応する部分には類似した参照符号を用いている。
【０００９】
図１は、１つ以上のサービスシステム１０が１つ以上のクライアントシステム２０にサービスを提供するネットワーク２の一例を示している。システム１０及び２０は、システム１０及び２０間で信頼を確立するために使用され得るトラストポイント（信頼点）システム（ＴＰＳ）１２を含み得る。特定の実施形態において、移動式（モバイル）装置が、サービスを提供することに当該モバイル装置がより効率的に参画することを可能にし得るトラストポイントシステム１２を含み得る。特定の実施形態において、これらのトラストポイントシステム１２は、例えばエスコート（案内）サービス、電池充電サービス、車両警備サービス及び／又は排出物報告サービスなどの多様なサービスを提供するように協働する。
【００１０】
図示した例において、ネットワーク２は、通信ネットワーク１８を介して１つ以上のクライアントシステム２０に結合された１つ以上のサービスシステム１０を含んでいる。サービスシステム１０は１つ以上のクライアントシステム２０に１つ以上のサービスを提供し得る。サービスの例は、エスコート、電池充電、車両警備及び／又は排出物報告のサービスを含む。サービスの他の一例は、ソフトウェア及び／又はファームウェアの更新及び／又は状態を管理することを含む。
【００１１】
サービスシステム１０の例は、車両サービスセンター、交通情報センター、充電システム、決済システム、及びクライアントシステム２０にサービスを提供し得るその他のシステムを含む。車両サービスセンターは、車両にサービスを提供することを支援するセンターとし得る。交通情報センターは、運転経路を計画するために使用され得るリアルタイム交通情報を保有するセンターを含み得る。充電システムは、クライアントシステム２０（例えば、車両）の電源（例えば、電池）を充電することが可能なシステムとし得る。決済システムは、サービスに対する支払いを認定することが可能なシステムとし得る。決済システムの例は、銀行、クレジットカード会社、信用調査機関、企業、又はサービスの報酬を認定することが可能なその他の好適組織を含み得る。
【００１２】
サービスシステム１０は、サービスシステム１０がその他のエンティティと安全に通信することを可能にする機能を含み得る。例えば、サービスシステム１０は、その他のエンティティとの信頼を確立するトラストポイントシステム１２を含み得る。トラストポイントシステム１２については、より詳細に後述する。他の一例として、サービスシステム１０は、その他のエンティティを認証するために使用されるセキュリティポリシーを管理するサーバを含み得る。セキュリティポリシーは、クライアントシステム２０がサービスにアクセスする許可を与えられる前に満たされなければならない一組の属性値を規定し得る。
【００１３】
クライアントシステム２０はサービスシステム１０からサービスを受け得る。クライアントシステム２０の例は、コンピュータ、モバイル装置及び車両を含む。以下では、これらをそれぞれ、コンピュータクライアントシステム、モバイルクライアントシステム及び車両クライアントシステムとも称する。
【００１４】
コンピュータは、例えばサーバ、ノート側コンピュータ又はデスクトップ型コンピュータなど、如何なる計算装置であってもよい。モバイル装置は、無線通信可能な手持ち式装置などとし得る。モバイル装置の例は、電話（例えば、携帯電話、移動電話又はスマートフォンなど）、携帯情報端末（例えば、個人向け又は企業向け）、及びゲーム機器を含む。車両は、人間及び／又は貨物を輸送するように設計された装置とし得る。車両の例は、陸上輸送機（例えば、自動車、列車、自転車及びオートバイなど）、及び航空機（例えば、飛行機）を含む。特定の実施形態において、車両は、無線通信を可能とする送受信器を含み得る。通信ネットワーク１８については、より詳細に後述する。
【００１５】
１つ以上のサービスシステム１０及び／又は１つ以上のクライアントシステム２０が、トラストポイントシステム１２（又は、トラストポイント）を含み得る。特定の実施形態において、トラストポイントシステム１２は、１つ以上のトラストポイントシステム１２と情報を通信するためにユーザ認証、プラットフォーム認証及び／又は環境認証を実行することによって、該１つ以上のその他のトラストポイントシステム１２と信頼を確立し得る。この認証は、サービスの承認を実行すること、及び／又はサービスの使用に対する会計を実行することを伴い得る。
【００１６】
特定の実施形態において、信頼を確立することは、第２のトラストポイントシステムが第１のトラストポイントシステムを認証することを可能にするために、第１のトラストポイントシステムから第２のトラストポイントシステムにトラストポイント情報を送信することを含み得る。特定の実施形態において、信頼を確立することは、トラストポイントシステムからトラストポイント情報を受信し、該トラストポイント情報を用いて該トラストポイントシステムを認証することを含み得る。トラストポイント情報は、トラストポイントシステムを認証するために使用することが可能な情報を含み得る。トラストポイント情報の例については、図２を参照して、より詳細に後述する。複数のトラストポイントシステム１２間で証明報告を提供し得るシステム及び方法の例には、Ｔｒｕｓｔｅｄ  Ｃｏｍｐｕｔｉｎｇ及びＴｒｕｓｔＣｕｂｅがある。
【００１７】
特定の実施形態において、クライアントシステム２０はまた、１つ以上の仮想マシン（virtual  machine；ＶＭ）２２、仮想マシンマネージャ（VM  manager；ＶＭＭ）２４、信頼済みプラットフォームモジュール（trusted  platform  module；ＴＰＭ）２６、リソースリスト２８、クライアントネットワークシステム３０、リソース３２、及びＧＰＳ受信器４０を含み得る。
【００１８】
信頼済みプラットフォームモジュール２６は、モジュール２６を認証するために使用され得るトラストポイント情報を生成し得る。特定の実施形態において、信頼済みプラットフォームモジュール（ＴＰＭ）２６は、トラストポイントシステム１２とともに動作し得る。特定の実施形態において、信頼済みプラットフォームモジュール２６は、固有のＲＳＡ（Rivest，Shamir，and  Adleman）鍵を有する少なくとも１つのプロセッサを含む。ＲＳＡ鍵はプロセッサに焼き入れられてもよい。このＲＳＡ鍵は、信頼済みプラットフォームモジュール２６のクライアントシステム２０を認証するために使用され得る。特定の実施形態において、信頼済みプラットフォームモジュール２６は、例えば擬似乱数発生器を用いて、暗号鍵を生成し得る。
【００１９】
特定の実施形態において、仮想マシン２２は、クライアントネットワークシステム３０、及び／又はクライアントネットワークシステム３０に関連付けられた処理に対応し得る。例えば、仮想マシン２２は、センサを組み込むために使用され得る。１つ以上の仮想マシン２２が１つ以上のオペレーティングシステム（ＯＳ）を起動してもよい。特定の実施形態において、仮想マシン２２は、単一目的のオペレーティングシステムを用い、仮想マシン２４を介してクライアントシステム２０の処理リソースを共有し得る。
【００２０】
仮想マシンマネージャ（ＶＭＭ）２４は、仮想マシンを作り出し、起動し、監視し、且つ／或いは終了させ得る。仮想マシンマネージャ２４は、複数の仮想マシン２２間での割り込み及び／又は誤りを傍受し、且つ／或いはハードウェア及び／又はソフトウェアへのアプリケーションのアクセスを制御し得る。仮想マシンマネージャ２４はまた、アプリケーション及び／又は仮想マシン２２が起動する様々なスレッド間で時間を共有することによって、プロセッサの多重タスクを管理し得る。仮想マシンマネージャ２４は複数の仮想マシン２２間の通信を管理し得る。
【００２１】
リソースリスト２８は、アクセスを承認されたエンティティのホワイトリスト、及び／又はアクセスが拒否されるエンティティのブラックリストを含み得る。
【００２２】
クライアントネットワーク３０は、クライアントシステム２０の構成要素間での連携を支援するクライアントシステム２０内のネットワークとし得る。例えば、クライアントネットワーク３０は、車両内のプロセッサを管理するネットワーク（例えば、ＦｌｅｘＲａｙネットワーク）とし得る。他の一例として、コントローラー・エリア・ネットワーク（ＣＡＮ又はＣＡＮバス）が、マイクロコントローラ及びデバイスがホストコンピュータを用いることなく互いに通信することを可能にする。更なる例は、ＴＴＰ（time  triggered  protocol）ネットワーク及びＡＦＤＸ（avionics  full-duplex  switched  Ethernet(登録商標)）ネットワークを含む。
【００２３】
クライアントネットワーク３０は、例えばプロセッサ及び／又はそれに付随するソフトウェア、ファームウェア、及び／又はプロセッサに関する処理命令といった、クライアントシステム２０のリソースなどのリソース３２を管理し得る。例えば、クライアントネットワーク３０は、各々が動作のためにソフトウェア及び／又はファームウェアを使用する複数の中央演算処理ユニット（ＣＰＵ）を有し得る。クライアントネットワーク３０は、クライアントシステム２０内の各リソース３２に付随するソフトウェア及び／又はファームウェアのバージョン及び／又は更新状態を管理することを含め、リソース３２の動作及び／又は維持管理に関与し得る。
【００２４】
グローバル・ポジショニング・システム（ＧＰＳ）受信器４０は、位置及び時間の情報を提供するＧＰＳナビゲーション衛星システムとのインタフェースとして作用する。
【００２５】
図２は、クライアントシステム２０の一例を示している。クライアントシステム２０は、コンピュータクライアントシステム、モバイルクライアントシステム、又は車両クライアントシステムなどとし得る。図示した例において、クライアントシステムは、インタフェース（ＩＦ）１２０、ロジック１２２、及び１つ以上のメモリ１２４を含んでいる。ロジック１２２は、１つ以上のプロセッサ１３０と、例えばトラストポイントモジュール１３２及びサービスモジュール１３４などのアプリケーションとを含み得る。トラストポイントモジュール１３２は、ユーザモジュール１４０、プラットフォームモジュール１４４、及び環境モジュール１４８を含み得る。サービスモジュール１３４は、エスコートモジュール１５０、電池充電モジュール１５２、車両警備モジュール１５４、及び排出物報告モジュール１５６を含み得る。
【００２６】
トラストポイントモジュール１３２は、その他のトラストポイントシステムと信頼を確立するために使用され得る。トラストポイントモジュール１３２は、信頼を確立するために認証を実行し得る。上述のように、認証は承認及び／又は会計を伴い得る。トラストポイントモジュール１３２は、ユーザ認証、プラットフォーム認証、及び／又は環境認証を実行し得る。
【００２７】
トラストポイントモジュール１３２は、認証を行うためにトラストポイント情報を使用し得る。トラストポイント情報の例は、より詳細に後述するように、ユーザ、装置及び環境の情報を含む。トラストポイントモジュール１３２は、或るトラストポイントが受け入れ可能なものであるかを決定するために、その情報が要件を満たすかを確認し得る。例えば、トラストポイントは、それがホワイトリストに載っている場合、又はブラックリストに載っていない場合に受け入れ可能とし得る。そのトラストポイントが受け入れ可能である場合、そのトラストポイントは、サービスにアクセスすることを許可され、且つ／或いはエンティティと引き続き通信することができる。
【００２８】
ユーザ認証モジュール１４０は、ユーザ認証を実行してユーザを認証する。ユーザ認証モジュール１４０は、ユーザを認証するためにユーザ情報を使用し得る。ユーザ情報は、個々のユーザに関するものであり、そのユーザによって入力され得る。ユーザ情報は、識別子（例えば、ユーザ名及び暗証番号など）、及び生体情報（例えば、生理学情報又は挙動情報など）を含み得る。生理学情報は人体の特徴に関係する。その例には、指紋、掌紋、手の特徴、顔の特徴、ＤＮＡ、虹彩スキャン若しくは網膜スキャン、及び匂いが含まれる。挙動情報は個人の挙動に関係する。その例には、タイピング（打鍵）リズム、歩き方及び声が含まれる。
【００２９】
プラットフォームモジュール１４４は、プラットフォーム認証を実行してプラットフォームを認証する。プラットフォームモジュール１４４は、認証を行うために、プラットフォームによって提供される装置情報を使用し得る。装置情報は、識別子（例えば、登録識別子（ＩＤ）など）、ネットワークアドレス（例えば、インターネットプロトコル（ＩＰ）アドレスなど）、機械アドレス（例えば、メディア・アクセス・コントロール（ＭＡＣ）アドレスなど）、証明書（例えば、公開鍵基盤（ＰＫＩ）証明書など）、及び／又はその装置を特定するその他の識別子を含み得る。
【００３０】
環境モジュール１４８は、環境認証を実行してプラットフォーム環境を認証する。環境モジュール１４８は、認証を行うために、環境情報を使用し得る。環境情報は、そのプラットフォーム上で実行されているソフトウェアのソフトウェア情報（例えば、ソフトウェアのバージョン及び／又は状態）、ハードウェア情報（例えば、ハードウェアバージョン及び／又はハードウェア構成など）、及びそのプラットフォームによって管理されている周辺機器の周辺機器情報（例えば、周辺機器識別子）を含み得る。
【００３１】
サービスモジュール１３４は、クライアントシステム２０に提供されるサービスを支援し得る。この例において、サービスは、エスコートサービス、電池充電サービス、車両警備サービス、及び排出物報告サービスを含んでいる。しかしながら、如何なる好適数の如何なる好適サービスが提供されてもよい。
【００３２】
エスコートモジュール１５０は、タスクリストに従って計画されるルートを取得して、該ルートに沿って移動するように車両に命令するエスコート処理を実行する。特定の実施形態において、エスコート処理は、車両の車両トラストポイントシステムによって、モバイルトラストポイントシステムとの信頼を確立することを含み得る。複数のタスクを有するタスクリストが、モバイルトラストポイントシステムから受信される。サービストラストポイントシステムとの信頼が確立され、上記複数のタスクのためのルートがサービストラストポイントシステムから取得される。車両はこのルートに沿って移動するよう命令される。エスコート処理の一例について、図３を参照して、より詳細に後述する。
【００３３】
電池充電モジュール１５２は、電池充電システムが車両の電池を充電することを可能にする電池充電処理を実行する。特定の実施形態において、電池充電処理は、車両の車両トラストポイントシステムによって、充電トラストポイントシステムを認証することを含み得る。車両トラストポイント情報が、充電トラストポイントシステムが車両トラストポイントシステムを認証することを可能にするために送信される。車両の電池の電池情報が充電トラストポイントシステムに送信される。充電トラストポイントシステムが電池を充電することを可能にするために、その車両に対応する決済情報が充電トラストポイントシステムに送信される。電池充電処理の一例について、図４乃至８を参照して、より詳細に後述する。
【００３４】
車両警備モジュール１５４は、警備上のトリガー事象に応答して作成される記録を１つ以上のトラストポイントシステムに送信する車両警備処理を実行する。車両警備処理の特定の実施形態において、車両環境内で車両の車両トラストポイントシステムは、警備上のトリガー事象を検知し得る。警備上のトリガー事象に応答して記録を作成するよう、車両環境が記録される。この記録がトラストポイントシステムに送信され、該トラストポイントシステムがこの記録をモバイルトラストポイントシステムに送信することが可能にされる。該トラストポイントシステムはまた、この記録をデータベースに格納し得る。車両警備処理の一例について、図９を参照して、より詳細に後述する。
【００３５】
排出物報告モジュール１５６は、車両の排出物を計算するために使用される車両の運転データを収集する排出物報告処理を実行する。特定の実施形態において、排出物報告処理は、車両の車両トラストポイントシステムによって運転データを収集することを含み得る。この運転データがセンタートラストポイントシステムに送信され、該センタートラストポイントシステムが車両の１つ以上の排出値を計算することが可能にされる。排出物報告処理の一例について、図１０を参照して、より詳細に後述する。
【００３６】
図３乃至１０は、サービスに関する方法の例を示している。これらの例において、クライアントシステム２０は、モバイル装置、車両、又はその他のクライアントシステムを含み得る。サービスシステム１０は、車両サービスセンター、交通情報センター、充電システム、又はその他のサービスシステムを含み得る。これらの例において、各システム１０及び２０がトラストポイントシステム（又は、トラストポイント）を有し得る。これらの方法は、システム１０及び２０のトラストポイント及び／又はその他の構成要素によって実行され得る。
【００３７】
図３Ａ乃至３Ｃは、エスコートサービスを提供する方法の一例を示している。この例において、クライアントシステム２０はモバイル装置と車両とを含んでおり、サービスシステム１０は車両サービスセンターと交通情報センターとを含んでいる。この方法は、例えば車両トラストポイントなどのトラストポイントによって実行され得る。
【００３８】
ステップ２１０にて、タスクリストがユーザから受信される。タスクは、実行されるべき行為（例えば、食料品の買い物に行くことなど）、場所（住所として表され得る）、取引、又は場所の種類（例えば、食料品店など）を含み得る。特定の実施形態において、ユーザはタスクリストをモバイル装置に入力し得る。これは、ユーザの都合の良いとき、例えば運転中でないときに、ユーザがタスクリストを入力することを可能にし得る。ステップ２１２にて、モバイル装置がユーザとともに車両内に移動する。車両は、誰かが当該車両に入ったことを検出して、このユーザにユーザ識別子を提供するように要求してもよい。
【００３９】
ステップ２１４乃至２２２は、モバイルトラストポイントと車両トラストポイントとの間で信頼を確立するために実行される。ステップ２１４にて、情報が要求される。特定の実施形態において、この要求は、ユーザから得られるユーザ情報を有するトラストポイント情報と、モバイル装置によって提供されるモバイルトラストポイント情報とを要求し得る。ステップ２１６にて、モバイルトラストポイントがトラストポイント情報を生成する。
【００４０】
ステップ２１８にて、情報が受信される。ステップ２２０にて、車両トラストポイントが、このモバイルトラストポイントが受け入れ可能なものであるかを検査する。トラストポイントの検査は、ユーザ認証、プラットフォーム認証及び／又は環境認証を実行することによって行われ得る。モバイルトラストポイントが受け入れ可能なものでない場合、この方法はステップ２１４へと戻り、再び情報を要求する。モバイルトラストポイントが受け入れ可能なものである場合、この方法はステップ２２２へと進み、車両が、ユーザ情報及びモバイルトラストポイント情報に従って、ユーザ及びモバイル装置が受け入れ可能なものであるかを検査する。ユーザ及びモバイル装置が受け入れ可能なものでない場合、この方法はステップ２１４へと戻り、再び情報を要求する。ユーザ及びモバイル装置が受け入れ可能なものである場合、この方法はステップ２２４へと進む。
【００４１】
ステップ２２４にて、車両トラストポイントがタスクリストを要求する。ステップ２２６にて、タスクリストがモバイルトラストポイントから受信される。ステップ２２８にて、車両トラストポイントが、センタートラストポイントからのルートを要求する。
【００４２】
ステップ２３０乃至２３８は、センタートラストポイントと車両トラストポイントとの間で信頼を確立するために実行される。ステップ２３０にて、センタートラストポイントが、車両トラストポイントを認証するために情報を要求する。ステップ２３２にて、車両トラストポイントがトラストポイント情報を生成する。このトラストポイント情報は、車両によって提供される装置情報、ユーザ情報、及び／又はモバイルトラストポイント情報を含み得る。
【００４３】
ステップ２３４にて、このトラストポイント情報がセンタートラストポイントに送信され、センタートラストポイントが車両トラストポイントを認証することが可能にされる。ステップ２３６にて、センタートラストポイントが、車両トラストポイントが受け入れ可能なものであるかを検査する。トラストポイントは、そのトラストポイント情報が受け入れ可能なものである場合に受け入れ可能なものと見なされ得る。受け入れ可能なトラストポイントからの情報は信頼できるものとして見なされ、受け入れ可能でないトラストポイントからの情報は信頼できないものとして見なされ得る。車両トラストポイントが受け入れ可能なものでない場合、この方法はステップ２３０へと戻り、センタートラストポイントが再び情報を要求する。車両トラストポイントが受け入れ可能なものである場合、この方法はステップ２３８へと進む。
【００４４】
ステップ２３８にて、センタートラストポイントが、ユーザ及び車両が受け入れ可能なものであるかを検査する。或るポリシーに従って、或るエンティティを受け入れ可能なものと見なし得る。ポリシーは、受け入れ可能なものであるためにはそのエンティティからどのような種類の情報が必要であるかを指定し得る。例えば、ポリシーは、どのような種類のユーザ情報、装置情報及び／又は環境情報が必要であるかを指定し得る。ユーザ及び車両が受け入れ可能なものでない場合、この方法はステップ２３０へと戻り、センタートラストポイントが再び情報を要求する。それらが受け入れ可能なものである場合、この方法はステップ２４０へと進む。
【００４５】
ステップ２４０乃至２４４は、上記タスクのためのルートを取得するために実行される。ステップ２４０にて、センタートラストポイントがルートの要求を送信する。ステップ２４２にて、交通情報センターがルートを送信する。ルートは、リアルタイム交通情報に従って計画され得る。例えば、ルートは交通渋滞を避けるように計画され得る。ステップ２４４にて、センタートラストポイントが該ルートを車両トラストポイントに転送する。
【００４６】
ステップ２４６にて、車両トラストポイントがモバイルトラストポイントに決済情報の要求を送信する。ステップ２４８及び２５０にて、モバイルトラストポイントが車両トラストポイントを認証する。ステップ２５２にて、モバイルトラストポイントが情報を送信する。
【００４７】
ステップ２５４にて、エスコートが開始される。エスコートは如何なる好適な方法で実行されてもよい。例えば、車両の１つ以上の構成要素が、ルートに沿って移動するように車両に命令をしてもよいし、ルートに沿って車両を移動させるようにユーザに命令してもよい。
【００４８】
ステップ２５６乃至２６４は、センタートラストポイントを検査するために実行される。ステップ２５６にて、車両がセンタートラストポイントに、ユーザアカウントの要求を送信する。ステップ２５８にて、センタートラストポイントがトラストポイント情報を生成して送信する。ステップ２６０にて、該トラストポイント情報が受信される。ステップ２６２及び２６４にて、車両が車両サービスセンターを検査する。
【００４９】
ステップ２６６にて、決済情報が送信される。車両サービスセンターが、ステップ２６８にてユーザアカウントを更新し、ステップ２７０にて結果を車両トラストポイントに送信する。ステップ２７２にて、車両トラストポイントが該結果をモバイルトラストポイントに転送する。
【００５０】
図４乃至８は、電池充電サービスを提供する方法の例を示している。図４は、電池充電サービスを提供する方法の一例の概略を示している。この例において、クライアントシステム２０はモバイル装置と車両とを含んでおり、サービスシステム１０は充電システムと決済システムとを含んでいる。この方法は、例えば車両の車両トラストポイントなどのトラストポイントによって実行され得る。
【００５１】
特定の実施形態において、サービスに対する支払いを承認するための情報は、車両内に記憶される代わりに、モバイル装置から送信される。こうすることは、権限のない人物が車両に乗ってサービスを受けてしまうことを防止し得る。特定の状況において、モバイルトラストポイントを介してサービスを受けるユーザは、モバイルトラストポイントを利用しないユーザより安価に課金されてもよい。このような状況において、モバイルトラストポイントを利用するユーザは、滅多に問題を起こさず、リスクが低いといい得る。従って、サービスプロバイダは、トラストポイントユーザに対してはそれほど保険を掛けず、故に、より低コストでサービスを提供することができ得る。ユーザも、コストが低ければ、トラストポイントの利用を選ぶように後押しされ得る。
【００５２】
特定の実施形態において、ステップ３０８にて、車両トラストポイントと充電トラストポイントとの間で信頼を確立するために認証が実行され得る。特定の実施形態において、認証は、車両トラストポイントにて充電トラストポイント情報を受信し、該充電トラストポイント情報を用いて充電トラストポイントを認証することを含み得る。認証はまた、車両トラストポイント情報を送信して、充電トラストポイントが車両トラストポイントを認証することを可能にすることを含んでいてもよい。
【００５３】
如何なる好適なトラストポイント情報が用いられてもよい。充電トラストポイント情報は、充電システムの識別子（例えば、サービス提供者名及び／又は機械識別子など）及びシステム状態（例えば、動作中又は充電準備完了など）を含み得る。車両トラストポイント情報は、例えば、装置情報及び／又はユーザ情報を含み得る。車両の装置情報は、車両の説明（例えば、メーカー及び／又は型式など）及び／又は車両識別番号を含み得る。
【００５４】
ステップ３１０にて、車両トラストポイントが充電を要求する。ステップ３１２にて、充電トラストポイントが電池情報を要求する。電池情報は、電池を記述するパラメータ、例えば電圧、メーカー、型式、現在充電量（例えば、容量のｘ％）、容量、空き容量、温度、又は電池のその他の特徴、を含み得る。ステップ３１４にて、電池情報が充電トラストポイントに送信される。
【００５５】
ステップ３１６にて、充電トラストポイントが車両トラストポイントを承認する。ステップ３１８にて、充電トラストポイントが車両トラストポイントに、充電システムが充電する準備が整ったことを通知する。ステップ３２０にて、車両トラストポイントが車両を承認する。
【００５６】
特定の実施形態において、ステップ３２１にて、車両トラストポイントとモバイルトラストポイントとの間の信頼を確立するために認証が実行され得る。特定の実施形態において、認証は、車両トラストポイントにてモバイルトラストポイント情報を受信し、該モバイルトラストポイント情報を用いてモバイルトラストポイントを認証することを含み得る。認証はまた、車両トラストポイント情報を送信して、モバイルトラストポイントが車両トラストポイントを認証することを可能にすることを含んでいてもよい。
【００５７】
ステップ３２２にて、車両トラストポイントが、ユーザの会計に関するモバイルトラストポイントからの決済情報を要求する。ステップ３２４にて、該会計に対応する決済情報がモバイルトラストポイントから受信される。決済情報は、該会計がサービスに関して課金されることを可能にする情報を含み得る。特定の実施形態において、モバイルトラストポイントは、モバイルトラストポイントが決済情報を暗号化することを可能にする鍵を受信し得る。
【００５８】
ステップ３２６にて、決済情報が充電トラストポイント又は決済システムに送信され、充電トラストポイントが電池を充電することが可能にされる。充電トラストポイントが該情報を決済システムに転送してもよい。決済システムが、ステップ３２８にて会計を承認し、ステップ３３０にて会計承認を車両に送信する。ステップ３３２にて、車両トラストポイントが決済を承認する。
【００５９】
ステップ３３４にて、車両トラストポイントが状況検査を実行する。状況検査は、その車両が承認されたこと、及び／又は決済が承認されたことを決定することを含み得る。状況検査は、車両が充電中に移動することができないこと、例えば、車両がパーキングに入れられてブレーキがセットされていること、を決定することを含んでいてもよい。状況検査に合格しない場合、モバイルトラストポイントに警告が送信される。状況検査に合格した場合には、ステップ３３６にて、車両トラストポイントが充電開始の要求を送信する。
【００６０】
ステップ３３８にて、充電システムが車両を充電し始める。ステップ３４０にて、充電状況がモバイルトラストポイントに送信される。充電状況は、電池の電荷量及び電池を充電するための残り時間を指し示し得る。モバイル装置は充電状況を表示してもよい。特定の実施形態において、充電システムは、エネルギー源に接続されたスマートメータ（例えば、電気メータ又は太陽電池パネル集電装置）と協働してもよい。
【００６１】
図５は、車両トラストポイントと充電トラストポイントとの間での相互認証方法の一例を示している。ステップ４１０にて、電池が警戒レベルにあることを車両が検出する。警戒レベルは、電池が充電されるべきレベルとすることができ、例えば、充電量が１０％未満の範囲、１０％から２５％の範囲、又は２５％から５０％の範囲のレベルとし得る。
【００６２】
ステップ４１２にて、車両トラストポイントが充電トラストポイントからの情報を要求する。充電トラストポイントが、ステップ４１４にてトラストポイント情報を生成し、ステップ４１６にて該情報を車両トラストポイントに送信する。ステップ４１８にて、車両トラストポイントが、充電トラストポイントが受け入れ可能なものであるかを決定する。充電トラストポイントが受け入れ可能なものでない場合、この方法はステップ４１２へと戻り、車両が再び情報を要求する。充電トラストポイントが受け入れ可能なものである場合、この方法はステップ４２０へと進み、車両トラストポイントが充電トラストポイントに、該充電トラストポイントが受け入れ可能なものであることを通知する。
【００６３】
ステップ４２２にて、充電トラストポイントが、車両トラストポイントからの情報を要求する。車両トラストポイントが、ステップ４２４にてトラストポイント情報を生成し、ステップ４２６にて該情報を送信する。ステップ４２８にて、充電トラストポイントが、車両トラストポイントが受け入れ可能なものであるかを決定する。車両トラストポイントが受け入れ可能なものでない場合、この方法はステップ４２２へと戻り、再び情報を要求する。車両トラストポイントが受け入れ可能なものである場合、この方法はステップ４３０へと進み、車両トラストポイントに、該車両トラストポイントが受け入れ可能なものであることを通知する。この方法は図６、７又は８に続く。
【００６４】
図６は、車両の電池を充電する方法の一例を示している。ステップ４３２にて、車両トラストポイントが充電トラストポイントによる充電を要求する。ステップ４３４にて、充電トラストポイントが電池情報を要求する。ステップ４３６にて、車両トラストポイントが電池情報を送信する。ステップ４３８にて、充電トラストポイントが充電タイプを設定する。充電タイプは、電池情報に記述された電池に供給すべき充電量を含み得る。ステップ４４０にて、充電スタンドが車両に接続される。
【００６５】
ステップ４４２にて、充電トラストポイントが決済情報を要求し、車両トラストポイントが該要求をモバイルトラストポイントに転送する。ステップ４４４にて、モバイルトラストポイントが決済情報を車両トラストポイントに送信し、車両トラストポイントが該情報を転送する。ステップ４４６にて、充電トラストポイントが決済の承認を要求する。ステップ４４８にて、決済システムが充電トラストポイントに、決済が承認されたことを通知する。
【００６６】
ステップ４５０にて、充電スタンドが車両の電池を充電する。ステップ４５２にて、車両が充電状況を表示する。ステップ４５４にて車両が充電状況をモバイル装置に送信し、ステップ４５６にてモバイル装置が充電状況を表示する。ステップ４５８にて、充電が終了する。ステップ４６０にて充電トラストポイントが決済を要求し、ステップ４６２にて車両トラストポイントが決済承認を通知する。ステップ４６４にて、充電トラストポイントが課金情報を送信する。
【００６７】
図７は、車両の電池を充電する方法の他の一例を示している。ステップ５１０乃至５２０は、図６のステップ４３２乃至４４２と実質的に同様とし得る。
【００６８】
ステップ５２２乃至５４０にて、モバイルトラストポイントと車両トラストポイントとの間で信頼を確立するために相互認証が実行される。ステップ５２２にて、車両トラストポイントがモバイルトラストポイントからの情報を要求する。モバイルトラストポイントが、ステップ５２４にてトラストポイント情報を生成し、ステップ５２６にて該情報を車両トラストポイントに送信する。ステップ５２８にて、車両トラストポイントが、モバイルトラストポイントが受け入れ可能なものであるかを検査する。モバイルトラストポイントが受け入れ可能なものでない場合、この方法はステップ５２２へと戻り、情報が再び要求される。モバイルトラストポイントが受け入れ可能なものである場合、この方法はステップ５３０へと進み、車両トラストポイントがモバイルトラストポイントに、該モバイルトラストポイントが受け入れ可能なものであることを通知する。
【００６９】
ステップ５３２にて、モバイルトラストポイントが車両トラストポイントからの情報を要求する。車両トラストポイントが、ステップ５３４にてトラストポイント情報を生成し、ステップ５３６にて該情報をモバイルトラストポイントに送信する。ステップ５３８にて、モバイルトラストポイントが、車両トラストポイントが受け入れ可能なものであるかを検査する。車両トラストポイントが受け入れ可能なものでない場合、この方法はステップ５３２へと戻り、情報が再び要求される。車両トラストポイントが受け入れ可能なものである場合、この方法はステップ５４０へと進み、モバイルトラストポイントが車両トラストポイントに、該車両トラストポイントが受け入れ可能なものであることを通知する。
【００７０】
車両トラストポイントが、ステップ５４２にてワンタイムキー（one  time  key）を生成し、ステップ５４４にて該ワンタイムキーをモバイルトラストポイントに送信する。ステップ５４６にて、モバイルトラストポイントが該ワンタイムキーを用いて決済情報を暗号化する。暗号化された決済情報は、例えば、暗号化されたクレジットカード番号を含み得る。ステップ５４８にて、モバイルトラストポイントが、暗号化された決済情報を車両トラストポイントに送信する。ステップ５５０にて、車両トラストポイントが決済情報を解読する。ステップ５５２乃至５７６はステップ４４４乃至４６４と実質的に同様とし得る。
【００７１】
図８は、車両の電池を充電する方法の他の一例を示している。ステップ６１０乃至６２０はステップ４３２乃至４４２と実質的に同様とし得る。
【００７２】
ステップ６２２乃至６２８は、車両サービスセンターがモバイル装置用のキー（鍵）を生成することを記述している。ステップ６２２にて、車両トラストポイントがセンタートラストポイントからのワンタイムキーを要求する。センタートラストポイントが、ステップ６２４にてワンタイムキーを生成し、ステップ６２６にて該ワンタイムキーを車両トラストポイントに送信し、ステップ６２８にて該ワンタイムキーをモバイルトラストポイントに送信する。ステップ６３０乃至６６０はステップ５４６乃至５７６と実質的に同様とし得る。
【００７３】
図９は、車両警備サービスを提供する方法の一例を示している。この方法は、車両環境内の車両の車両トラストポイントによって実行され得る。車両環境は、車両の内部、車両の外装、及び／又は車両を取り囲む領域のうちの何れかの少なくとも一部を含み得る。
【００７４】
ステップ７１０にて、警備上のトリガー事象が検出される。警備上のトリガー事象は、視覚的な出来事（例えば、閃光など）、聴覚的な出来事（例えば、衝突音など）、又は動き（例えば、揺れ又は振動など）とし得る。ステップ７１２にて、車両環境が記録されて記録が生成される。車両環境は、例えばカメラ又はレコーダなどの、視覚的信号及び／又は聴覚的信号を検出するように構成された如何なる好適な装置によって記録されてもよい。ステップ７１４にて、該記録がセンタートラストポイントに送信される。
【００７５】
ステップ７１６にて、センタートラストポイントが該記録をデータベースに保存する。保存された記録は、この警備上のトリガー事象に関する裁判において証拠として使用され得る。ステップ７１８にて、センタートラストポイントが該記録をモバイルトラストポイントに送信する。モバイルトラストポイントのユーザは該記録を再生し得る。
【００７６】
図１０は、排出物報告サービスを提供する方法の一例を示している。この方法は車両の車両トラストポイントによって実行され得る。
【００７７】
ステップ７３０にて、運転データが収集される。運転データは、それから排出物を計算し得る如何なる好適なデータを含んでいてもよい。例えば、データは、温度、雑音、及び排気から検出される排出物を含み得る。運転データは、バッテリー（電池）のみが動作しているとき、エンジンのみが動作しているとき、又はこれら双方が動作しているときに排出される排出物を特定し得る。特定の実施形態において、ユーザに関する個人データは運転データに含められなくてもよい。他の実施形態においては、個人データも含められ得る。
【００７８】
ステップ７３２にて、運転データがセンタートラストポイントに送信される。ステップ７３４にて、センタートラストポイントが車両の排出値を計算する。例えば、二酸化炭素の排出量が計算され得る。
【００７９】
ここで開示されたシステム及び装置には、本発明の範囲を逸脱することなく、変更、付加又は省略が為され得る。これらのシステム及び装置の構成要素群は一体化されてもよいし、別個のものにされてもよい。また、システム及び装置の動作は、より多くの、より少ない、あるいはその他の構成要素によって実行されてもよい。例えば、トラストポイントモジュール１３２及びサービスモジュール１３４の動作が１つの構成要素によって実行されてもよいし、モジュール１３２又は１３４の動作が２つ以上の構成要素によって実行されてもよい。さらに、システム及び装置の動作は、ソフトウェア、ハードウェア及び／又はその他のロジックを有する如何なる好適なロジックを用いて実行されてもよい。本願において、“各”は集合の各メンバー、又は集合の部分集合の各メンバーを意味する。
【００８０】
ここで開示された方法には、本発明の範囲を逸脱することなく、変更、付加又は省略が為され得る。これらの方法は、より多くの、より少ない、あるいはその他のステップを含んでいてもよい。また、ステップ群は如何なる好適な順序で実行されてもよい。
【００８１】
特定の実施形態において、第２のステップに先行する（例えば、つながる）第１のステップを実行するエンティティは、第２のステップを容易にするものと見なすことができる場合がある。例えば、或るエンティティがステップＢに先行するステップＡを実行する場合、そのエンティティはまたステップＢを容易にする。特定の実施形態において、第２のエンティティによって実行され得る第２のステップに先行する第１のステップを実行する第１のエンティティは、第２のエンティティが第２のステップを実行することを可能にするものと見なすことができる場合がある。例えば、第２のエンティティによって実行され得るステップＢに先行するステップＡを第１のエンティティが実行する場合、第１のエンティティはまた、第２のエンティティがステップＢを実行することを可能にする。
【００８２】
ここで開示されたシステム及び装置の構成要素は、インタフェース、ロジック、メモリ及び／又はその他の好適な要素を含み得る。インタフェースは入力を受信し、出力を送信し、入力及び／又は出力を処理し、且つ／或いはその他の好適な処理を実行する。インタフェースはハードウェア及び／又はソフトウェアを有し得る。
【００８３】
ロジックは、該構成要素の処理を実行し、例えば、入力から出力を生成するための命令を実行する。ロジックは、ハードウェア、ソフトウェア及び／又はその他のロジックを含み得る。ロジックは、１つ以上の有形媒体に符号化されることができ、コンピュータによって実行されるときに処理を実行し得る。
【００８４】
例えばプロセッサなどの一定のロジックは構成要素の動作を管理し得る。プロセッサは、その他のロジックの解釈及び／又は実行を行うことが可能なロジック（例えば、デバイス又は装置など）を有していてもよい。プロセッサの例には、コンピュータ、マイクロプロセッサ、マイクロコントローラ、デジタル信号プロセッサ（ＤＳＰ）、特定用途向け集積回路（ＡＳＩＣ）、又はプログラム命令及び／又は処理データを解釈且つ／或いは実行するように構成されたその他のデジタル回路若しくはアナログ回路、のうちの１つ以上が含まれる。
【００８５】
特定の実施形態において、実施形態の処理は、コンピュータプログラム、ソフトウェア、コンピュータ実行可能命令、及び／又はコンピュータによって実行されることが可能なその他の命令で符号化された、１つ以上のコンピュータ読み取り可能媒体によって実行され得る。特定の実施形態において、実施形態の処理は、コンピュータプログラムを格納した、コンピュータプログラムで具現化された、且つ／或いはコンピュータプログラムで符号化された、１つ以上のコンピュータ読み取り可能媒体によって実行されてもよいし、格納され且つ／或いは符号化されたコンピュータプログラムを有する１つ以上のコンピュータ読み取り可能媒体によって実行されてもよい。
【００８６】
例えばソフトウェア（更新を含む）といった電子コンテンツ（“コンテンツ”）などのロジックは、クライアントがアクセスし得るファイル、コード（例えば、オブジェクトコード又は実行可能コードなど）、データレコード、及び／又はその他の電子的に記録されたデータ構造を含み得る。それらの例には、テキストファイル、スプレッドシート、電子メール、医療記録、画像、ウェブページ、プログラム（例えば、文書処理プログラム及びファイル管理プログラムなど）、及び／又はその他の電子データ若しくはプログラムが含まれ得る。
【００８７】
メモリは情報を記憶する。メモリは、１つ以上の、一時的でない、有形の、コンピュータ読み取り可能且つ／或いはコンピュータ実行可能な記憶媒体を有し得る。メモリの例には、コンピュータメモリ（例えば、ランダムアクセスメモリ（ＲＡＭ）、読み出し専用メモリ（ＲＯＭ）、又は電気的消去可能プログラム可能読み出し専用メモリ（ＥＥＰＲＯＭ））、大容量記憶媒体（例えば、ハードディスク）、取り外し可能記憶媒体（例えば、コンパクトディスク（ＣＤ）又はデジタルビデオディスク（ＤＶＤ））、データベース及び／又はネットワーク記憶庫（例えば、サーバ）、及び／又は、その他のコンピュータ読み取り可能媒体、揮発性メモリ、若しくは電力が供給されない場合にもデータを保持する不揮発性メモリが含まれる。
【００８８】
システム及び装置の構成要素群は、如何なる好適な通信プロトコルに従って通信する如何なる好適な通信ネットワークによって結合されてもよい。通信ネットワーク（例えば、通信ネットワーク１８など）は、公衆交換電話網（ＰＳＴＮ）、公衆あるいは私設データネットワーク、ローカルエリアネットワーク（ＬＡＮ）、メトロポリタンエリアネットワーク（ＭＡＮ）、ワイドエリアネットワーク（ＷＡＮ）、ローカルな仮想プライベートネットワーク（ＶＰＮ）、例えばインターネットなどの地域あるいはグローバル通信又はコンピュータネットワーク、有線又は無線ネットワーク、企業イントラネット、その他の好適な通信リンク、又はこれらのうちの何れかの組み合わせ、のうちの１つ以上の全体又は一部を有し得る。通信ネットワークは、如何なる好適な形態若しくは構成の、ルータ、ハブ、スイッチ、ゲートウェイ、コールコントローラ及び／又はその他の好適な要素を含んでいてもよい。
【００８９】
特定の実施形態に関して本開示を説明したが、当業者には、これらの実施形態の改変及び置換が明らかになるであろう。従って、実施形態に係る以上の説明は、本開示を制約するものではない。添付の請求項によって規定されるこの開示の精神及び範囲を逸脱することなく、その他の変形、代用及び改変が可能である。
【００９０】
以上の説明に関し、更に以下の付記を開示する。
（付記１）
複数のトラストポイントシステムと通信するよう動作する１つ以上のインタフェースと、
１つ以上のプロセッサであり、
ユーザ認証、プラットフォーム認証及び環境認証を実行することによって、前記複数のトラストポイントシステムと信頼を確立し、且つ
信頼を確立したことに応答して前記複数のトラストポイントシステムと情報を通信する、
よう動作する１つ以上のプロセッサと
を有するシステム。
（付記２）
信頼を確立することは、
第１のトラストポイントシステムから第２のトラストポイントシステムにトラストポイント情報を送信して、該第２のトラストポイントシステムが該第１のトラストポイントシステムを認証することを可能にすること
を有する、付記１に記載のシステム。
（付記３）
信頼を確立することは、
トラストポイントシステムからトラストポイント情報を受信することと、
該トラストポイント情報を用いて該トラストポイントシステムを認証することと
を有する、付記１に記載のシステム。
（付記４）
前記プロセッサは更に、
複数のタスクを有するタスクリストを第１のトラストポイントシステムから受信し、且つ
該タスクリストを第２のトラストポイントシステムに送信して、前記複数のタスクのためのルートを取得し、該ルートに沿って移動するよう車両に命令する
ことによって、エスコート処理を実行するよう動作する、
付記１に記載のシステム。
（付記５）
前記複数のトラストポイントシステムは充電トラストポイントシステムを含み、
前記プロセッサは更に、
車両の電池の電池情報を前記充電トラストポイントシステムに送信し、且つ
該車両に対応する決済情報を前記充電トラストポイントシステムに送信して、前記充電トラストポイントシステムが該電池を充電することを可能にする
ことによって、電池充電処理を実行するよう動作する、
付記１に記載のシステム。
（付記６）
前記プロセッサは更に、
車両に関する警備上のトリガー事象を送信し、
該車両の車両環境を記録して、記録を生成し、且つ
該記録をトラストポイントシステムに送信する
ことによって、車両警備処理を実行するよう動作する、
付記１に記載のシステム。
（付記７）
前記プロセッサは更に、
車両の運転データを収集し、且つ
該運転データをトラストポイントシステムに送信して、該トラストポイントシステムが該車両の１つ以上の排出物を計算することを可能にする
ことによって、排出物報告処理を実行するよう動作する、
付記１に記載のシステム。
（付記８）
車両の車両トラストポイントシステムによって、
第１のトラストポイントシステムと信頼を確立するステップと、
複数のタスクを有するタスクリストを前記第１のトラストポイントシステムから受信するステップと、
第２のトラストポイントシステムと信頼を確立するステップと、
前記複数のタスクのためのルートを前記第２のトラストポイントシステムから取得するステップと、
該ルートに沿って移動するよう該車両に命令するステップと
を有する方法。
（付記９）
前記第１のトラストポイントシステムと信頼を確立するステップは、
前記第１のトラストポイントシステムによってユーザから取得されたユーザ情報を受信するステップと、
該ユーザ情報に従って該ユーザを認証するステップと
を有する、付記８に記載の方法。
（付記１０）
前記第１のトラストポイントシステムと信頼を確立するステップは、
前記第１のトラストポイントシステムから装置情報を受信するステップと、
該装置情報に従って前記第１のトラストポイントシステムを認証するステップと
を有する、付記８に記載の方法。
（付記１１）
前記第２のトラストポイントシステムと信頼を確立するステップは、
前記第２のトラストポイントシステムに車両トラストポイント情報を送信して、前記第２のトラストポイントシステムが前記車両トラストポイントシステムを認証することを可能にするステップ
を有する、付記８に記載の方法。
（付記１２）
前記第２のトラストポイントシステムから第２のトラストポイント情報を受信するステップと、
前記第２のトラストポイント情報に従って前記第２のトラストポイントシステムを認証するステップと、
前記第２のトラストポイントシステムに決済情報を送信するステップと、
を更に有する付記８に記載の方法。
（付記１３）
車両の車両トラストポイントシステムによって、
充電トラストポイントシステムを認証するステップと、
車両トラストポイント情報を送信して、前記充電トラストポイントシステムが当該車両トラストポイントシステムを認証することを可能にするステップと、
該車両の電池の電池情報を前記充電トラストポイントシステムに送信するステップと、
該車両に対応する決済情報を前記充電トラストポイントシステムに送信して、前記充電トラストポイントシステムが該電池を充電することを可能にするステップと、
を有する方法。
（付記１４）
モバイルトラストポイントシステムと信頼を確立するステップと、
該モバイルトラストポイントシステムから前記決済情報を受信するステップと
を更に有する付記１３に記載の方法。
（付記１５）
車両トラストポイント情報をモバイルトラストポイントシステムに送信して、該モバイルトラストポイントシステムが前記車両トラストポイントシステムを認証することを可能にするステップ
を更に有する付記１３に記載の方法。
（付記１６）
暗号鍵をモバイルトラストポイントシステムに送信して、該モバイルトラストポイントシステムが前記決済情報を暗号化することを可能にするステップ
を更に有する付記１３に記載の方法。
（付記１７）
前記電池の充電を示す充電状況を表示するステップ
を更に有する付記１３に記載の方法。
（付記１８）
前記電池の充電を示す充電状況をモバイルトラストポイントシステムに送信して、該モバイルトラストポイントシステムが該充電状況を表示することを可能にするステップ
を更に有する付記１３に記載の方法。
（付記１９）
暗号鍵をトラストポイントセンターから受信するステップと、
該暗号鍵をモバイルトラストポイントシステムに送信して、該モバイルトラストポイントシステムが前記決済情報を暗号化することを可能にするステップ
を更に有する付記１３に記載の方法。
（付記２０）
車両環境内の車両の車両トラストポイントシステムによって、
警備上のトリガー事象を検知するステップと、
該車両環境を記録して記録を生成するステップと、
該記録をセンタートラストポイントシステムに送信して、該センタートラストポイントシステムが該記録をモバイルトラストポイントシステムに送信することを可能にするステップと、
を有する方法。
（付記２１）
前記記録を前記センタートラストポイントシステムに送信するステップは更に、
前記記録を送信して、前記センタートラストポイントシステムが前記記録をデータベースに保存することを可能にすること
を有する、付記２０に記載の方法。
（付記２２）
車両の車両トラストポイントシステムによって、
運転データを収集するステップと、
該運転データをセンタートラストポイントシステムに送信して、該センタートラストポイントシステムが該車両の１つ以上の排出値を計算することを可能にするステップと、
を有する方法。
【符号の説明】
【００９１】
２      ネットワーク
１０    サービスシステム
１２    トラストポイントシステム（ＴＰＳ）
１８    通信ネットワーク
２０    クライアントシステム
２１    ロジック
２２    仮想マシン（ＶＭ）
２４    仮想マシンマネージャ（ＶＭＭ）
２６    信頼済みプラットフォームモジュール（ＴＰＭ）
２８    リソースリスト
３０    クライアントネットワーク
３２    リソース
４０    ＧＰＳ受信器
１２０  インタフェース
１２２  ロジック
１２４  メモリ
１３０  プロセッサ
１３２  トラストポイントモジュール
１３４  サービスモジュール
１４０  ユーザモジュール
１４４  プラットフォームモジュール
１４８  環境モジュール
１５０  エスコートモジュール
１５２  電池充電モジュール
１５４  車両警備モジュール
１５６  排出物報告モジュール
【図１】
0005927815.tif 000002
【図２】
0005927815.tif 000003
【図３Ａ】
0005927815.tif 000004
【図３Ｂ】
0005927815.tif 000005
【図３Ｃ】
0005927815.tif 000006
【図４】
0005927815.tif 000007
【図５】
0005927815.tif 000008
【図６】
0005927815.tif 000009
【図７Ａ】
0005927815.tif 000010
【図７Ｂ】
0005927815.tif 000011
【図７Ｃ】
0005927815.tif 000012
【図８Ａ】
0005927815.tif 000013
【図８Ｂ】
0005927815.tif 000014
【図９】
0005927815.tif 000015
【図１０】
0005927815.tif 000016